(57)【要約】【課題】簡単な構造を有し、薄型機器の設置場所、高さ、角度を容易に変更できる薄型機器の壁面設置機構を提供する。【解決手段】薄型機器Ｄｐを支持するひも状の支持手段５と、薄型機器Ｄｐに支持手段５を取り付ける取付手段３、４と、壁面に取り付けられ、支持手段５を引っ掛ける引っ掛け部２とを備えており、取付手段３、４が支持手段５の薄型機器Ｄｐへの取付位置を変更することが可能である薄型機器の壁面取付機構１。【選択図】図１
2013254104.tif 000002
【特許請求の範囲】
【請求項１】
薄型機器を支持するひも状の支持手段と、
前記薄型機器に前記支持手段を取り付ける取付手段と、
壁面に取り付けられ、前記支持手段を引っ掛ける引っ掛け部とを備えており、
前記取付手段が前記支持手段の前記薄型機器への取付位置を変更することが可能であることを特徴とする薄型機器の壁面取付機構。
【請求項２】
前記取付手段は、前記薄型機器に配置されたレールと、前記レールに摺動可能に配置されたランナーと、前記ランナーの摺動を規制するための規制手段とを備えている請求項１に記載の薄型機器の壁面取付機構。
【請求項３】
前記取付手段は、少なくとも２個のランナーを備えており、
前記支持手段は、両端部に異なるランナーが取り付けられており、中間部分を前記引っ掛け部に引っ掛ける請求項２に記載の薄型機器の壁面取付機構。
【請求項４】
前記取付手段は、少なくとも２個のランナーを備えており、
前記支持手段は、一方の端部がランナーに他方の端部が引っ掛け部に引っ掛けられている請求項２に記載の薄型機器の壁面取付機構。
【請求項５】
前記取付手段は、前記薄型機器を前記壁面に設置したときの上面に前記レールが配置されている請求項３または請求項４に記載の薄型機器の壁面取付機構。
【請求項６】
前記取付手段は、前記薄型機器を前記壁面に設置したときの下面に前記レールが配置されている請求項３または請求項４に記載の薄型機器の壁面取付機構。
【請求項７】
前記取付手段は、前記薄型機器を前記壁面に設置したときの左右両側の側面に前記レールが配置されており、左右両側面に配置されたレールのそれぞれに少なくとも１個ずつのランナーが備えられている請求項３または請求項４に記載の薄型機器の壁面取付機構。
【請求項８】
前記取付手段は、前記薄型機器を前記壁面に設置したときの上面及び側面に前記レールが配置されており、
上面及び側面に配置されたレールのそれぞれに少なくとも１個ずつのランナーが備えられている請求項３に記載の薄型機器の壁面取付機構。
【請求項９】
前記引っ掛け部は、前記壁面に取り付けられるピンである請求項１から請求項８のいずれかに記載の薄型機器の壁面取付機構。
【発明の詳細な説明】
【技術分野】
【０００１】
本発明は、表示装置、照明装置等の薄型機器を壁面に取り付けるときに用いる壁面設置機構に関するものである。
【背景技術】
【０００２】
近年、液晶表示装置等の薄型の表示装置は壁面に取り付ける、いわゆる壁掛け設置が可能となっている場合が多い。前記表示装置を壁掛け設置することで、前記表示装置及び（又は）設置台の設置面積をなくすことができ、床面の利用可能な範囲を広げることができる。また、床面に設置台を介して或いはそのまま表示装置を配置したときの、表示装置の上部のデッドスペースを減らすことも可能である。
【０００３】
前記表示装置の壁面への取り付けは、取付治具を介して行われる。前記取付治具は、前記壁面に取り付けられる金具と、前記表示装置の背面に取り付けられる金具とを備えている。そして、前記壁面及び前記表示装置の背面のそれぞれに対応する金具を取り付けておき、金具同士を係合するとともに、ねじ等の緊結具で両金具を固定することで、前記壁面に前記表示装置を設置する。
【０００４】
しかしながら、前記取付治具を用いて前記表示装置を前記壁面に取り付ける場合、取付治具が別途必要で、部品点数が増加するとともに、壁面及び表示装置の背面への取り付けの手間がかかる。また、前記表示装置の背面と前記壁面との間に前記取付治具があるため、前記壁面と前記表示装置の表示面との距離が長くなる。これにより、前記表示装置の表示面と観察者との距離（視聴距離）が短くなってしまう。また、前記表示装置は前記取付治具を用いて前記壁面に取り付けられるので、一度設置場所を決めてしまうと、設置場所を移動させることが難しい。
【０００５】
そこで、このような治具を用いることなく、壁面に沿って表示装置を設置する方法が提案されている。例えば、特開平７−１５４７２３号公報では、天井面にレールにラックギヤを設置し、前記レールに摺動可能に支持されるとともに、前記ラックギヤと歯合するピニオンギヤで前記レールに沿って摺動するプロジェクター装置が開示されている。このレール及びラックギヤの構造を前記表示装置に採用することで、前記表示装置を壁面に設置する際、取付治具が不要であり、また、前記表示装置を壁面に沿って移動させることが可能となる。
【先行技術文献】
【特許文献】
【０００６】
【特許文献１】特開平７−１５４７２３号公報
【発明の概要】
【発明が解決しようとする課題】
【０００７】
しかしながら、特開平７−１５４７２３号公報に記載の方法で表示装置を設置する場合、天井部分へのレール及びラックギヤの取り付けが必要であり、天井の形状が特殊な場所、例えば、ドーム状、勾配天井等の場合取付が難しい。また、このようにして表示装置を取り付けた場合、前記表示装置は前記レールに沿う方向に移動可能であるが、移動の自由度が低く、水平面に対する角度を変えたり、高さを変えたりするのは難しい。
【０００８】
また、この構成を採用した場合、表示装置を天井に近接して配置する必要があり、吹き抜け等の天井が高い部分には取り付けが困難になる。さらに、前記表示装置を前記壁面に近接して配置した場合であっても、構造上、前記表示装置と前記壁面との間の隙間をなくすことは困難であり、視聴距離を短くすることは困難である。
【０００９】
そこで本発明は、簡単な構造を有し、薄型機器の設置場所、高さ、角度を容易に変更でき、しかも、薄型機器と設置される壁面との距離を極力少なくすることができる薄型機器の壁面設置機構を提供することを目的とする。
【課題を解決するための手段】
【００１０】
上記目的を達成するため本発明は、薄型機器を支持するひも状の支持手段と、前記薄型機器に前記支持手段を取り付ける取付手段と、壁面に取り付けられ、前記支持手段を引っ掛ける引っ掛け部とを備えており、前記取付手段が前記支持手段の前記薄型機器への取付位置を変更することが可能であることを特徴とする薄型機器の壁面取付機構を提供する。
【００１１】
この構成によると、前記支持手段を前記引っ掛け部に引っ掛けることで、前記薄型機器を前記壁面に取り付けることができるので、前記薄型機器の壁面への取り付けが容易である。また、前記取付手段の前記薄型機器に対する前記支持手段の取付位置を変更することで、前記薄型機器の高さ、傾き角度を調整可能となっている。
【００１２】
以上のことより、薄型機器の壁面への取付、位置変更が容易であるととともに、取付高さ、角度の変更も容易である。また、簡単な構成であることから、軽量化が可能であり、薄型機器を取り付ける壁面の補強が不要或いは必要であっても軽微なもので済む。これにより、薄型機器の壁面への設置に要する手間と時間を削減することが可能である。
【００１３】
上記構成において、前記取付手段が、前記薄型機器に配置されたレールと、前記レールに摺動可能に配置されたランナーと、前記ランナーの摺動を規制するための規制手段とを
備えていてもよい。
【００１４】
この構成によると、前記ランナーを前記レール上の任意の位置に移動させることができるので、前記支持手段の前記薄型機器に対する位置を細かく変更することが可能である。これにより、薄型機器の高さ、角度の微調整が可能である。
【００１５】
上記構成において、前記取付手段は、少なくとも２個のランナーを備えており、
前記支持手段は、両端部が異なるランナーに取り付けられており、中間部分が前記引っ掛け部に引っ掛けられていてもよい。
【００１６】
上記構成において、前記取付手段は、少なくとも２個のランナーを備えており、前記支持手段は、一方の端部がランナーに他方の端部が引っ掛け部に引っ掛けられていてもよい。
【００１７】
上記構成において、前記取付手段は、前記薄型機器を前記壁面に設置したときの上面に前記レールが配置されていてもよい。
【００１８】
上記構成において、前記取付手段は、前記薄型機器を前記壁面に設置したときの下面に前記レールが配置されていてもよい。
【００１９】
上記構成において、前記取付手段は、前記薄型機器を前記壁面に設置したときの左右両側の側面に前記レールが配置されており、左右両側面に配置されたレールのそれぞれに少なくとも１個ずつのランナーが備えられていてもよい。
【００２０】
上記構成において、前記取付手段は、前記薄型機器を前記壁面に設置したときの上面及び側面に前記レールが配置されており、上面及び側面に配置されたレールのそれぞれに少なくとも１個ずつのランナーが備えられていてもよい。
【００２１】
上記構成において、前記引っ掛け部は、前記壁面に取り付けられるピンであってもよい。また、薄型機器としては、液晶表示装置等の表示装置や、照明装置等を挙げることが可能である。
【発明の効果】
【００２２】
本発明によると、簡単な構造であることから、薄型機器の設置に要する工程を省略することが可能であるとともに、薄型機器の設置場所、高さ、角度を容易に変更でき、しかも、薄型機器と設置される壁面との距離を極力少なくすることができる薄型機器の壁面設置機構を提供することができる。
【図面の簡単な説明】
【００２３】
【図１】本発明にかかる薄型機器の壁面設置機構で薄型機器を壁面に設置した状態の正面図である。
【図２】図１に示す薄型機器の壁面設置機構及び壁面の側面図である。
【図３】図１に示す薄型機器の壁面設置機構の拡大図である。
【図４】図３に示す薄型機器の壁面設置機構の断面図である。
【図５】本発明にかかる薄型機器の壁面設置機構の他の例の正面図である。
【図６Ａ】図５に示す薄型機器の壁面設置機構の使用状態を示す図である。
【図６Ｂ】図５に示す薄型機器の壁面設置機構で高さを調整した図である。
【図６Ｃ】図５に示す薄型機器の壁面設置機構で角度を調整した図である。
【図７Ａ】図５に示す薄型機器の壁面設置機構の変形例を示す図である。
【図７Ｂ】図５に示す薄型機器の壁面設置機構の変形例を示す図である。
【図８】本発明にかかる薄型機器の壁面設置機構の他の例の正面図である。
【図９】本発明にかかる薄型機器の壁面設置機構の他の例の正面図である。
【図１０】本発明にかかる薄型機器の壁面設置機構の他の例の正面図である。
【図１１】図１０に示す表示装置を異なる向きで壁面に取り付けた状態を示す図である。
【発明を実施するための形態】
【００２４】
以下に本発明の実施形態について図面を参照して説明する。
【００２５】
（第１実施形態）
図１は本発明にかかる薄型機器の壁面設置機構で薄型機器を壁面に設置した状態の正面図であり、図２は図１に示す薄型機器の壁面設置機構及び壁面の側面図である。図１、図２に示すように、本発明にかかる薄型機器の壁面設置機構１（以下の説明において便宜上、単に壁面設置機構と略する）は、吊り下げピン２（引っ掛け部）、レール３、ランナー４及びワイヤー５（支持手段）を備えている。そして、壁面設置機構１は薄型機器の一例である表示装置Ｄｐを壁面ＷＬに配置する構造を有している。表示装置Ｄｐは、液晶表示装置等の正面視長方形状を有する薄型の表示装置である。また、レール３及びランナー４は、ワイヤー５を表示装置Ｄｐに取り付けるための取付手段を構成している。
【００２６】
図１、図２に示すように、吊り下げピン２は、円柱状の部材であり、壁面ＷＬより突出する凸状の部材である。吊り下げピン２は壁面ＷＬにねじ等の緊結具を用いて固定される。なお、吊り下げピン２の取り付け場所は居室の壁に限定されるものではなく、壁に近接して配置された柱や梁に取り付けられる場合もある。そのため、以下の説明において、壁面ＷＬと称する場合、床面に対して起立した面を有するものとし、柱、梁の起立した面も含むものとする。さらには、柱、壁、梁以外にも、床面に対して起立した面を有するものも含むものとする。
【００２７】
レール３は表示装置Ｄｐに取り付けられた部材であり、ランナー４が摺動可能に係合している。レール３及びランナー４の詳細については、後述する。そしてワイヤー５は、少なくとも表示装置Ｄｐを吊り下げ支持できる強度を有するひも状の部材（例えば、鋼線）である。ワイヤー５は一端にランナー４が取り付けられており、他端は吊り下げピン２に固定できる構造を有している。レール３にランナー４を取り付け、ワイヤー５の他端を吊り下げピン２に取り付けることで、表示装置Ｄｐは、壁面設置機構１を介して、壁面ＷＬに設置される。
【００２８】
レール３及びランナー４の詳細について新たな図面を参照して説明する。図３は図１に示す薄型機器の壁面設置機構の拡大図であり、図４は図３に示す薄型機器の壁面設置機構の断面図である。
【００２９】
図４に示すように、レール３は、表示装置Ｄｐを壁面ＷＬに設置したときの上面Ｕｆに沿って延びる凹溝３０を備えている。そして、凹溝３０の上部には、凹溝３０の端部より互いに内側に、先端が接触しないように突出した一対のリブ３１が形成されている。つまり、一対のリブ３１の間は、レール３の長手方向に沿って延びる開口３２となっている。
【００３０】
なお、図３、図４に示すレール３は、表示装置Ｄｐに一体的に形成されているが、これに限定されるものではなく、表示装置Ｄｐと別体で形成しておき、取り付ける構成としていてもよい。例えば、表示装置Ｄｐ等の薄型機器では、外周部分を囲む額縁が備えられている場合がほとんどであり、レール３がこのような額縁と一体又は少なくとも一部が一体であってもよい。
【００３１】
ランナー４はレール３に摺動可能に取り付けられている部材であり、レール３上の任意の位置に移動可能となっている。そして、ランナー４は抜止部４１と、つば部４２と、連結部４３と、ワイヤー保持部４４とを備えている。
【００３２】
抜止部４１は、凹溝３０の内部に配置されており、リブ３１の凹溝３０側の面（内面）と接触することで、ランナー４がレール３から脱落（抜ける）のを抑制している。抜止部４１は、凹溝３０の幅（長手方向と直交する方向の幅）よりも小さく、開口３２の幅よりも大きな幅の部材である。抜止部４１として、例えば、円形状、四角形状等の板状部材を挙げることができる。また、板状の部材に限定されるものではなく、リブ３１に対して摺動可能な構造を広く採用することが可能である。また、抜止部４１としては、リブ４１の内面と接触するローラを備える構成であってもよい。
【００３３】
つば部４２は、一対のリブ３１の凹溝３０と反対側（外側）に配置される。つば部４２は、ランナー４がレール３の凹溝３０の内部に落ちるのを抑制する部材である。また、抜止部４１とつば部４２とで、一対のリブ３１を挟んで押圧することで、ランナー４をレール３上の任意の位置で固定することができる（つまり、ランナー４の摺動を規制する規制手段として働く）。抜止部４１とつば部４２によってリブ３１を押圧する方法としては、ねじで締め付けるもの、バネ等の弾性部材によって押さえるもの等を採用することが可能である。また、ねじによる締め付けを採用する場合、２個のナットを利用するものや、バネ間座を用いて緩み止めを行うようにしてもよい。
【００３４】
また、ランナー４のレール３への固定方法は、抜止部４１とつば部４２とでリブ３１を挟み込む構成以外の構成を採用してもよい。例えば、レール３のリブ３１の内面に長手方向に並んだ凹部を形成するとともに、抜止部４１のリブ３１と対向する部分に凹部と係合可能な凸部を形成し、凹部と凸部を係合することで固定する（停止させる）ものを挙げることができる。この構成の場合、表示装置Ｄｐの自重によって、レール３のリブ３１が抜止部４１を下方に押す構成であるので、表示装置Ｄｐを上方に持ち上げることで、簡単にランナー４を移動させることが可能である。また、これら以外にも、ランナー４をレール３の所望の位置で停止させることができる方法を広く採用することができる。
【００３５】
連結部４３は、抜止部４１とつば部４２とを連結している部材である。連結部４３は、開口３０を貫通する部材であり、開口３０に沿って移動可能であるように、開口３０の幅よりも小さい幅の部材となっている。図３、図４に示すランナー４では、連結部４３は円柱形状を有しており、連結部４３の円断面の直径は開口３０の幅よりも小さく形成されている。
【００３６】
なお、連結部４３の外周面に螺旋溝を形成しておき、つば部４２を螺旋溝に螺合することができる構造としてもよい。このとき、螺旋溝と螺合するとともに、つば部４２の固定を行う固定具を備えていてもよい。これにより、つば部４２をねじ込むだけで、ランナー４をレール３上の任意の位置に固定することが可能である。さらには、レール３の外側に取り付け、ランナー４のレール３の長手方向の両端部を、ランナー４が摺動しないように固定する固定具でランナー４を停止させてもよい。
【００３７】
また、連結部４３は、円柱形状に限定されるものではなく、例えば、開口３０の幅よりも薄い平板状の部材であってもよい。ワイヤー保持部４４は、連結部４３の端部に一体形成されており、ワイヤー５を保持する。
【００３８】
ワイヤー５のワイヤー保持部４４と反対側の端部には、吊り下げピン２と係合可能な構造となっている。係合可能な構成とは、例えば、ワイヤー５の端部が輪形状に形成されており、輪形状を吊り下げピン２に係合するようにしてもよいし、吊り下げピン２と係合する部材が取り付けられていてもよい。そして、ワイヤー保持部４４をねじ止めや挟着によってワイヤー５を着脱可能な構造としておき、ワイヤー５の保持する部分を変更することで、吊り下げピン２とランナー４、すなわち、表示装置Ｄｐの長さを変更することが可能となっている。
【００３９】
また、吊り下げピン２にワイヤー５を挿通する孔を形成しておき、ねじ等の締め付け部材でワイヤー５を締め付けて固定するようにしてもよい。吊り下げピン２をこのように形成することで、ワイヤー５の吊り下げピン２とランナー４との間の長さを調整することができ、表示装置Ｄｐの高さを調整することができる。
【００４０】
以上示した構成の壁面設置機構１では、壁面ＷＬには、吊り下げピン２を備えておけばよく、表示装置Ｄｐの位置替えが容易である。そして、吊り下げピン２は、従来の壁面設置機構に比べて小さく、目立ちにくいので、壁面ＷＬに複数個取り付けておくことができる。これにより、ワイヤー５を掛ける吊り下げピン２を変更するだけで、表示装置Ｄｐの移動を容易に行うことが可能である。
【００４１】
例えば、液晶表示装置等の表示装置Ｄｐでは、太陽光或いは照明光が表記装置Ｄｐの表面で反射されることによって発生する、いわゆる、映り込みが品質低下の原因となる。太陽光は時間によって入射角度が変化するので、映り込みも変化する。また、照明光を利用する場合でも、鑑賞者の観賞位置が変わると、映り込み角度が変化し映像が見えにくくなる場合がある。本発明の壁面設置機構１を用いることで、表示装置Ｄｐの位置の変更を簡単に行うことができるので、表示装置Ｄｐを常に映り込みの少ない位置に移動させることができ、表示装置Ｄｐに表示される映像が見やすい。
【００４２】
また、ランナー４がレール３上を摺動することで、表示装置Ｄｐの重心とランナー４との相対位置が変化し、表示装置Ｄｐの水平面（或いは垂直面）に対する傾き角度を調整することが可能である。例えば、壁面設置機構１の場合、図３に示しているように、ランナー４を右（矢印Ａ１の方向）に移動させると、表示装置Ｄｐは左回りＬ１（反時計回り）に傾く。逆にランナー４を左（矢印Ｂ１の方向）に移動させると、表示装置Ｄｐは右回りＲ（時計回り）に傾く。
【００４３】
例えば、表示装置Ｄｐとして、バッテリーによる駆動及び電源ケーブル接続による駆動の両方が可能な構成のものがある。バッテリーは表示装置Ｄｐを構成する部材の中でも重い部材であり、バッテリーが取り付けられているか否かで表示装置Ｄｐの重心位置が変化する場合が多い。また、バッテリーを外さない構成であっても、電源ケーブルを取り付けているか否かで表示装置Ｄｐの重心位置が変化する場合もある。このように、重心位置が変更されると表示装置Ｄｐは傾いてしまうが、上述のように、ランナー４の位置を変更することで、表示装置Ｄｐの傾きを容易に修正することが可能である。これにより、表示装置Ｄｐの状態が変わっても、姿勢が変化する（傾く）のを容易に調整可能である。
【００４４】
また、表示装置Ｄｐと壁面ＷＬとの間に、従来のような壁面設置機構が介在しないので、表示装置Ｄｐの表示面と壁面ＷＬと距離Ｗ（図２、図４参照）を小さくすることができる。これにより、表示装置Ｄｐの表示面から観察者までの距離（視聴距離）を長くすることが可能であり、さらには、視聴範囲を広げることが可能である。
【００４５】
さらには、このように形成された壁面設置機構１は、吊り下げピン２、レール３、ランナー４及びワイヤー５を含む構成となっているので、従来の壁面設置機構に比べて構造が簡単であり、軽量である。そのため、表示装置Ｄｐと壁面設置機構１との総重量を従来のものに比べて軽量化することが可能である。これにより、表示装置Ｄｐを設置する壁面ＷＬの補強が不要又は補強を簡素化できる。
【００４６】
（第２実施形態）
本発明にかかる薄型機器の壁面設置機構の他の例について図面を参照して説明する。図５は本発明にかかる薄型機器の壁面設置機構の他の例の正面図であり、図６Ａ、６Ｂ、６Ｃは図５に示す壁面設置機構を用いたときの表示装置の位置を示す図である。図５に示す壁面設置機構１Ｂは、２個のランナー４がレール３に取り付けられており、ワイヤー５の両端が２個のランナー４のそれぞれに保持されている。そして、ワイヤー５の中間部分が吊り下げピン２に係合されている。他の部分については、壁面設置機構１と同じ構成を有しており、実質上同じ部分には同じ符号を付してある。また、ランナー４の構造は、図３、図４等に示す構造と同じであり、レール３の任意の場所で移動を制限する（固定する）ことが可能である。
【００４７】
以下の説明では、図６Ａの状態のときを基準としてランナー４の位置（移動）と表示装置Ｄｐの位置（高さ或いは傾き）について説明する。なお、説明の便宜上、壁面設置機構１が図６Ａの状態のときの表示装置Ｄｐの位置をＰ１、図６Ｂの状態のときの表示装置Ｄｐの位置をＰ２、図６Ｃの状態のときの表示装置Ｄｐの位置をＰ３とする。
【００４８】
図６Ａに示すように、２個のランナー４が所定の間隔を開けて配置されているとき、ワイヤー５は表示装置Ｄｐの上面Ｕｆ、すなわち、レール３に対して角度θ１となる。このとき、表示装置Ｄｐは位置Ｐ１になっている。
【００４９】
２個のランナー４を互いに遠ざかる方向に移動させることで、表示装置Ｄｐの位置をＰ１からＰ２に移動させることが可能となる。このとき、ワイヤー５は表示装置Ｄｐの上面Ｕｆ、すなわち、レール３に対して角度θ２となる（図６Ｂ参照）。ワイヤー５の長さは変化しないので、θ１＞θ２となる。そして、表示装置Ｄｐが位置Ｐ２のとき、吊り下げピン２と表示装置Ｄｐの上面Ｕｆとの間隔が位置Ｐ１のときよりも短い。このことから、ランナー４を互いに離れる方向に移動することで表示装置Ｄｐの位置を高くすることが可能である。
【００５０】
以上のことより、図６Ａに示すように、壁面設置機構１Ｂでは、ランナー４を互いに離れるように移動する（矢印Ａ２）と、表示装置Ｄｐの位置は高くなる（矢印Ｕ２）。逆に、ランナー４を互いに近づくように移動すると、表示装置Ｄｐの位置は低くなる（矢印Ｄ２）。
【００５１】
また、２個のランナー４のうち一方の位置を変更することで傾き角度の調整も可能である。例えば、図６Ｂの状態で、右側のランナー４を固定したまま、左側のランナー４を移動させたとする。左側のランナー４を移動させることで、ワイヤー５の支点（２個のランナー４と吊り下げピン２）と重心との位置関係が変化する。このため、表示装置Ｄｐは傾く。図６Ｃに示しているように、ランナー４を左に移動すると表示装置Ｄｐは左回りＬ２（反時計回り）に回転し、右に移動すると右回りＲ２（時計回り）に回転する。
【００５２】
以上のことより、壁面設置機構１Ｂを用いることで、表示装置Ｄｐの高さの調整や、角度の調整を行うとき、ワイヤー５を吊り下げピン２に掛けた状態で行うことができる。これにより、表示装置Ｄｐの高さ、傾き調整に大きな力を必要としない。また、表示装置Ｄｐを壁面設置機構１Ｂで壁面に設置した状態で、高さ、傾きの調整を行うことができるので、表示装置Ｄｐの落下の危険性を低減することができる。
【００５３】
なお、上述した壁面設置機構１Ｂでは、吊り下げピン２が１個のものを例に説明しているが、これに限定されるものではない。例えば、２個の吊り下げピンの両方にワイヤー５を引っ掛けるようにしてもよい。この構成にすることで、１個の吊り下げピンでは、支持できない重量の表示装置でも支持することが可能である。また、ランナー４も２個に限定されるものではなく、３個以上備えられていてもよい。
【００５４】
本実施形態の変形例について図面を参照して説明する。図７Ａ、図７Ｂは図５に示す薄型機器の壁面設置機構の変形例を示す図である。図７Ａに示すように、壁面設置機構１Ｂ１では、２個のランナー４それぞれに別のワイヤー５が取り付けられており、各ワイヤー５が別個の吊り下げピン２に掛けられる。２点で表示装置Ｄｐを保持する構造の場合、表示装置Ｄｐの重量が重い或いは壁面ＷＬが一点での保持に十分な強度を有していない場合でも、表示装置Ｄｐを壁面ＷＬに簡単且つ安全に設置することが可能である。また、ランナー４を移動させることで、表示装置Ｄｐの高さ及び傾き角度を変更することが可能である。なお、図７Ａでは、吊り下げピン２及びランナー４の個数を２個としているが、これに限定されるものではなく、３個以上であってもよい。
【００５５】
また、図７Ｂに示すような構成としてもよい。図７Ｂの壁面設置機構１Ｂ２構成では、図６Ａ〜図６Ｃに示したような、２個のランナー４をワイヤー５で接続したものを２系統備えておき、系統ごとに異なる吊り下げピン２に引っ掛けて表示装置Ｄｐを壁面ＷＬに設置する構成である。この構成によると、各系統のランナー４を移動させることで、その系統のワイヤー５が引っ掛けられている吊り下げピン２とレール３との距離を変更することが可能である。このことより、ランナー４を移動させることで、表示装置Ｄｐの高さ、傾きを調整することが可能である。また、表示装置Ｄｐを２個の吊り下げピン２で支持するので、表示装置Ｄｐの重量が重い場合でも壁面ＷＬに設置することが可能となる。また、表示装置Ｄｐの重量が軽い場合に用いることで、吊り下げピン２を小型、軽量化することが可能であり、壁面ＷＬの変形（ねじ止め等）を少なくすることが可能である。
【００５６】
なお、第２実施形態のその他の効果は、第１実施形態と同じである。
【００５７】
（図３実施形態）
本発明にかかる薄型機器の壁面設置機構のさらに他の例について図面を参照して説明する。図８は本発明にかかる薄型機器の壁面設置機構の他の例の正面図である。図８に示すように、壁面設置機構１Ｃは、表示装置Ｄｐを壁面ＷＬに設置したときの下面にレール３ｃが配置されており、レール３ｃに複数個（ここでは、２個であるがこれに限定されない）のランナー４が摺動可能に配置されている。そして、表示装置Ｄｐのワイヤー５が吊り下げピン２に向かって延びる部分（図８では、表示装置Ｄｐの角部のうち左右上側の角部）にガイド部６が配置されている。なお、壁面設置機構１Ｃのこれら以外の部分は壁面設置機構１Ｂと同じ構成を有しており、実質上同じ部分には同じ符号を付すとともに、同じ部分の詳細な説明は省略する。
【００５８】
図８に示すように、壁面設置機構１Ｃは、表示装置Ｄｐの下面にレール３ｃが取り付けられており、レール３ｃに２個のランナー４が摺動可能に配置されている。この２個のランナー４はワイヤー５の端部をそれぞれ保持している。このような、壁面設置機構１Ｃにおいて、ワイヤー５は、２個のランナー４のそれぞれからレール３に沿ってレール３が設置されている面の端部（角部）に反対側に延びている。そして、端部で折れて表示装置Ｄｐの側壁に沿って上方に延びている。そして、ワイヤー５は表示装置Ｄｐの上面の両端部分（角部）より外部に出ており、吊り下げピン２に引っ掛けられている。
【００５９】
壁面設置機構１Ｃにおいて、ワイヤー５を表示装置Ｄｐの側面に配置するだけでは、表示装置Ｄｐの上部がレール３ｃを中心として回転し、表示装置Ｄｐが脱落する危険性がある。このような、危険性を回避するため、表示装置Ｄｐの少なくとも、ワイヤー５が表示装置Ｄｐから吊り下げピン２に延びる部分（図８では、表示装置Ｄｐの上面の両端部分）にワイヤー５を側壁からずれないようにガイドするガイド部６が備えられている。なお、側壁部に溝等のワイヤー５をガイドする部分が存在する場合、ガイド部６は省略してもよい。
【００６０】
ガイド部６としては、例えば、溝、外部の額縁に設けられワイヤー５が貫通する貫通孔、ガイドプーリ等、ワイヤー５が表示装置Ｄｐの側壁からずれないようにガイドするための部材を広く採用することが可能である。なお、壁面設置機構１Ｃでは、ガイドプーリ６を採用している。
【００６１】
このようにして、壁面設置機構１Ｃは、表示装置Ｄｐを壁面ＷＬに設置することができる。また、ワイヤー５を吊り下げピン２に引っ掛けたとき、ワイヤー５は、表示装置Ｄｐから離れる部分（上面の両端部分）と吊り下げピン２とを支点として、表示装置Ｄｐを支持している。そして、ランナー４の位置を変えることで、表示装置Ｄｐを上下に移動させることが可能である。
【００６２】
つまり、図８に示すように、ランナー４が互いに離れる方向Ａ３に移動することで、表示装置Ｄｐは下方Ｄ３に移動し、ランナー４が互いに近づく方向Ｂ３に移動することで、表示装置Ｄｐは上方Ｕ３に移動する。また、表示装置Ｄｐ上での支点の位置は、ワイヤー５の長さにかかわらず一定であるため、表示装置Ｄｐを上下方向に移動するときに、左右にずれるのを抑制することが可能である。つまり、ランナー４を片方ずつ移動させた場合であっても、表示装置Ｄｐの姿勢（傾き角度）は変化しない。これにより、表示装置Ｄｐの高さを調節したのちに、角度調整の必要がなく、調整が簡単である。
【００６３】
また、例えば、表示装置Ｄｐとして液晶表示装置等のような薄型映像表示装置を用いる場合、表示装置Ｄｐの下部には、スピーカ、リモートコントローラの受光部等が存在し、額縁が広くなることが多い。そのため、レール３ｃを配置するスペースを確保するのが容易となる。これらのことより、表示装置Ｄｐの外形が大きくなるのを抑制することができる。
【００６４】
また、２個のランナー４のそれぞれに独立したワイヤー５を取り付けておき、各ワイヤー５を図７に示す壁面設置機構１Ｂと同様に、それぞれ別の吊り下げピン２に引っ掛けるようにしてもよい。
【００６５】
なお、第３実施形態のその他の効果は、第１及び第２実施形態と同じである。
【００６６】
（第４実施形態）
本発明にかかる薄型機器の壁面設置機構のさらに他の例について図面を参照して説明する。図９は本発明にかかる薄型機器の壁面設置機構の他の例の正面図である。図９に示すように、壁面設置機構１Ｄは、表示装置Ｄｐを壁面ＷＬに設置した状態のとき、両側面にレール３ｄが配置されており、２本のレール３ｄのそれぞれに、少なくとも１個のランナー４が摺動可能に配置されている。そして、表示装置Ｄｐのワイヤー５が吊り下げピン２に向かって延びる部分（図９では、表示装置Ｄｐの角部のうち左右上側の角部）にガイド部６が配置されている。なお、壁面設置機構１Ｄのこれら以外の部分は壁面設置機構１Ｂと同じ構成を有しており、実質上同じ部分には同じ符号を付すとともに、同じ部分の詳細な説明は省略する。
【００６７】
図９に示すように、表示装置Ｄｐの左右の側壁のレール３ｄに配置されたランナー４のそれぞれは、ワイヤー５の端部を保持している。ワイヤー５は、ランナー４よりレール３ｄに沿って上方に延びている。そして、ワイヤー５は表示装置Ｄｐの上面の両端部分（角部）より外部に出ており、吊り下げピン２に引っ掛けられている。
【００６８】
このようにして、壁面設置機構１Ｄは、表示装置Ｄｐを壁面ＷＬに設置することができる。また、ワイヤー５を吊り下げピン２に引っ掛けたとき、ワイヤー５は、表示装置Ｄｐから離れる部分（上面の両端部分）と吊り下げピン２とを支点として、表示装置Ｄｐを支持している。そして、ランナー４の位置を変えることで、表示装置Ｄｐを上下に移動させることが可能である。また、表示装置Ｄｐ上での支点の位置は、ワイヤー５の長さにかかわらず一定であるため、表示装置Ｄｐを上下方向に移動するときに、左右にずれるのを抑制することが可能である。
【００６９】
壁面設置機構１Ｄにおいて、表示装置Ｄｐを安定して壁面ＷＬに設置するため、表示装置Ｄｐの少なくとも、ワイヤー５が表示装置Ｄｐから吊り下げピン２に延びる部分（図９では、表示装置Ｄｐの上面の両端部分）にワイヤー５を側壁からずれないようにガイドするガイド部６が備えられている。なお、ガイド部６については、左右両側面に形成されたレール３ｄでワイヤー５をガイドすることができる構成である場合、ガイド部６は省略してもよい。
【００７０】
また、壁面設置機構１Ｄでは、表示装置Ｄｐは、左右の側壁それぞれに備えられたレール３ｃに固定されたランナー４を介してワイヤー５に吊り下げ支持されている。このことから、表示装置Ｄｐの重量は左右の側壁部に分散される。これにより、簡素な構造の表示装置Ｄｐであっても安定して、安全に壁面ＷＬに設置することが可能である。
【００７１】
また、２個のランナー４のそれぞれに独立したワイヤー５を取り付けておき、各ワイヤー５を図７に示す壁面設置機構１Ｂと同様に、それぞれ別の吊り下げピン２に引っ掛けるようにしてもよい。
【００７２】
なお、第４実施形態のその他の効果は、第１及び第２実施形態と同じである。
【００７３】
（第５実施形態）
本発明にかかる薄型機器の壁面設置機構のさらに他の例について図面を参照して説明する。図１０は本発明にかかる薄型機器の壁面設置機構の他の例の正面図であり、図１１は図１０に示す表示装置を異なる向きで壁面に取り付けた状態を示す図である。図１０、図１１に示す壁面設置機構１Ｅは、表示装置Ｄｐの隣り合う辺のそれぞれにレール３を備え、各レール３にランナー４を配置した構成を有している以外は、壁面設置機構１Ｂと同じ構成を有しており、実質上同じ部分には同じ記号を付すとともに、同じ部分の詳細な説明は省略する。
【００７４】
図１０に示すように、壁面設置機構１Ｅは、正面視長方形状の表示装置Ｄｐの長辺の一方と、その長辺と隣り合う短辺の一方とにレール３が配置（形成）されている。そして、レール３が配置された長辺と短辺とが形成する角部分には、ワイヤー５をガイドするガイド部６が設けられている。なお、ガイド部６としては、例えばガイドプーリを用いるものとすることができる。また、ワイヤー５がずれにくい構造のものを広く採用することが可能である。また、レール３でワイヤー５をガイドすることができる構造であれば、ガイド部６は備えなくてもよい。
【００７５】
次に、壁面設置機構１Ｅにおける表示装置Ｄｐの壁面ＷＬへの設置について説明する。なお、以下の説明において、便宜上、長辺に配置されたレール３を第１レール３ｅ１、短辺に配置されたレール３を第２レール３ｅ２とし、それぞれのレール３ｅ１、３ｅ２に配置されたランナー４を第１ランナー４ｅ１、第２ランナー４ｅ２として説明する。
【００７６】
表示装置Ｄｐが液晶表示装置等のテレビ放送やＤＶＤ、ＢＤ等のメディアによるコンテンツを表示する装置である場合、通常、横長に配置される。図１０に示すように、表示装置Ｄｐを支持しているワイヤー５は、吊り下げピン２、第１ランナー４ｅ１及びガイド部６（第１レール３ｅ１と第２レール３ｅ２の交点）とを支点としている。
【００７７】
つまり、表示装置Ｄｐは、第１ランナー４ｅ１から吊り下げピン２までのワイヤー５の長さと、吊り下げピン２からガイド部６までの長さを適切に調整することで、角度の調整を行うことができる。すなわち、表示装置Ｄｐを水平に設置することが可能である。また、壁面設置機構１Ｅでは、ワイヤー５の長さの制約があるため、ワイヤー５の長さを適切に調整するため、第２ランナー４ｅ２をガイド部６に近接した位置に固定している。ワイヤー５の長さによって、第２ランナー４ｅ２の固定場所は異なる。なお、第１ランナー４ｃ１及び第２ランナー４ｅ２の位置は、表示装置Ｄｐの重心及び角度によって決定される。
【００７８】
例えば、表示装置Ｄｐの重心が蓄電池の有無や接続されているケーブルの本数等で変化する場合がある。このような場合、本実施形態の壁面設置機構１Ｅでは、第１ランナー４ｅ１、第２ランナー４ｅ２を移動（位置の調整）させ、表示装置Ｄｐの角度の微調整（水平に設置）を行うことが可能である。また、第１ランナー４ｅ１及び第２ランナー４ｅ２の位置を調整することで、表示装置Ｄｐの高さを調整することも可能である。
【００７９】
なお、第１ランナー４ｅ１は水平方向の移動であり、第２ランナー４ｅ２は垂直方向の移動である。そのため、第２ランナー４ｅ２を移動させるよりも第１ランナー４ｅ１を移動させる方が、角度、高さの調整時における表示装置Ｄｐの落下の危険性を低減することができる。そのため、表示装置Ｄｐを横長に設置した場合の角度調整、高さ調整は、第１ランナー４ｅ１を移動させることが好ましい。図１０に示すように、第１ランナー４ｅ１を左方向Ａ４に移動することで、表示装置Ｄｐは右回りＲ４（時計回り）に回転し、第１ランナー４ｅ１を右方向Ｂ４に移動することで、表示装置Ｄｐは左回りＬ４（反時計回り）に回転する。
【００８０】
また、表示装置Ｄｐで、例えば、縦長で撮影した写真のように縦長の映像を表示する場合がある。この場合、表示装置Ｄｐを縦長に配置したほうが、映像が回転したり、小さくなったりするのを抑制できる。そこで、本実施形態にかかる壁面設置機構１Ｃでは、上述したように、表示装置Ｄｐを従来の横長の状態で壁面ＷＬに設置できるとともに、縦長の状態で壁面ＷＬに設置できる構造となっている。以下に表示装置Ｄｐを縦長の状態で壁面ＷＬに設置したときの壁面設置機構１Ｅについて説明する。
【００８１】
図１１に示すように、表示装置Ｄｐを縦長の状態で壁面ＷＬに取り付ける場合、第２レール３ｅ２が上部になる。そして、表示装置Ｄｐを支持しているワイヤー５は、吊り下げピン２、第２ランナー４ｅ２及びガイド部６とを支点としている。
【００８２】
つまり、表示装置Ｄｐは、第２ランナー４ｅ２から吊り下げピン２までのワイヤー５の長さと、吊り下げピン２からガイド部６までのワイヤー５の長さを適切に調整することで、縦長状態での角度の調整を行うことができる。すなわち、表示装置Ｄｐを壁面ＷＬに縦長状態で水平に設置することが可能である。また、壁面設置機構１Ｅでは、ワイヤー５の長さの制約があるため、ワイヤー５の長さを適切に調整するため、第１ランナー４ｅ１をガイド部６に近接した位置に固定している。ワイヤー５の長さによって、第１ランナー４ｅ１の固定場所は異なる。
【００８３】
また、第１ランナー４ｅ１及び第２ランナー４ｅ２の位置を調整することで、表示装置Ｄｐを壁面ＷＬに縦長状態に設置した場合でも、表示装置Ｄｐの角度及び高さを調整することが可能である。なお、第２ランナー４ｅ２は水平方向の移動であり、第１ランナー４ｅ１は垂直方向の移動である。そのため、第１ランナー４ｅ１を移動させるよりも第２ランナー４ｅ２を移動させる方が、角度、高さの調整時における表示装置Ｄｐの落下の危険性を低減することができる。そのため、表示装置Ｄｐを縦長に配置した場合の角度調整、高さ調整は、第２ランナー４ｅ２を移動することが好ましい。図１１に示すように、第２ランナー４ｅ２を左方向Ａ４に移動することで、表示装置Ｄｐは左回りＬ４（時計回り）に回転し、第２ランナー４ｅ２を右方向Ｂ４に移動することで、表示装置Ｄｐは右回りＲ４（反時計回り）に回転する。
【００８４】
以上のことより、本実施形態の壁面設置機構１Ｅを用いることで、表示装置Ｄｐを吊り下げピン２で支持した状態のまま、横長から縦長又は縦長から横長に表示装置Ｄｐの方向を変更することが可能である。
【００８５】
また、ワイヤー５の長さをある程度長くしておくことで、第１ランナー４ｅ１及び第２ランナー４ｅ２の位置を変更しなくても、表示装置１を横長、縦長の状態で壁面ＷＬに設置することが可能である。つまり、ワイヤー５を垂直或いは略垂直になるレール（横長の場合第２レール３ｅ２、縦長の場合第１レール３ｅ１）に沿わせることで、ランナー４を移動せずに設置方向を変更することが可能である。また、第１レール３ｅ１及び第２レール３ｅ２が配置された側壁でワイヤー５をガイドすることができる場合、ガイド部６を省略してもよい。
【００８６】
なお、第４実施形態のその他の効果は、上記第１実施形態と同様である。
【００８７】
（第５実施形態）
本発明にかかる薄型機器の壁面設置機構のさらに他の例について説明する。表示装置Ｄｐが液晶表示装置等の電力を利用して映像の表示を行うものの場合、表示装置Ｄｐで映像を表示するとき発熱する。本発明にかかる壁面設置機構を利用して表示装置Ｄｐを壁面に設置した場合、壁面と表示装置Ｄｐの隙間が無くなる或いはほぼなくなるので排熱がしにくくなる。
【００８８】
そこで、本発明にかかる壁面設置機構を熱伝導性の高い材料で形成し、壁面設置機構を介して、表示装置Ｄｐの熱の外部への放射を促進している。つまり、壁面設置機構を伝熱部材（放熱部材）として利用している。
【００８９】
壁面設置機構は、表示装置Ｄｐを支持する部材であるので、表示装置Ｄｐを表示できる程度の強度が必要である。そのため、壁面設置機構を構成する部材としては、熱伝導性が高く、強度を有する金属材料であることが好ましい。このような金属材料としては、例えば、鉄、鋼、アルミニウム或いはアルミニウム合金等を挙げることができる。また、これら以外にも、熱伝導性が高く、強度を有する金属を広く採用することが可能である。
【００９０】
また、レール、ランナー及びワイヤーに放熱性を高める材料（放射材料）を表面に塗布してもよい。放射材料の例について表１に示す。なお、表１において放射材料の放熱性の指標として、放射率を挙げて表示している。
【表１】
2013254104.tif 000003
【００９１】
そして、このような放射率の高い放射材料を単体或いは多種配合することで、レール、ランナー及びワイヤーに塗布することで、これらの材料の放熱性を高めることができる。放射材料の塗布の方法としては、スプレー塗装、はけ塗り等を挙げることができるが、これに限定されるものではない。また、レール、ランナー及びワイヤーに塗布する放射性材料は、放射率が極力１．０に近いものが好ましい。
【００９２】
このように、壁面設置機構の放熱性を高めることで、表示装置Ｄｐの熱を効率よく放熱することができるので、表示装置Ｄｐの温度上昇を抑制することができる。これにより、表示装置ＤｐがＬＥＤ等のように温度上昇によって発光効率が低下する光源を用いている場合、光源の温度上昇を抑えることができるので、輝度低下、輝度むらを抑制することが可能である。
【００９３】
上記各実施形態において、壁面に取り付ける薄型の装置として、液晶表示装置、デジタルフォトフレーム等の表示装置を例に説明しているが、これに限定されるものではない。例えば、薄型の照明装置等の薄型装置の壁面への設置に広く採用することが可能である。
【００９４】
上記構成において、支持手段としてワイヤーを例に挙げているが、これに限定されるものではなく、例えば、チェーン等の吊り下げピンに引っ掛けることができる構造のものを広く採用することができる。また、取付手段として、レールとランナーを備えるものを挙げているがこれに限定されるものではなく、例えば、表示装置Ｄｐに被係合部を複数個所に備えておき、支持手段（ワイヤー）の端部に取り付けた係合部を複数の被係合部のうち適切な被係合部と係合する構成のものであってもよい。
【００９５】
以上、本発明の実施形態について説明したが、本発明はこの内容に限定されるものではない。また本発明の実施形態は、発明の趣旨を逸脱しない限り、種々の改変を加えることが可能である。
【産業上の利用可能性】
【００９６】
本発明にかかる、液晶表示装置はテレビ受像機、デジタルフォトフレーム、照明装置等、薄型の機器を壁面に取り付けるときに利用することが可能である。
【符号の説明】
【００９７】
１  薄型機器の壁面設置機構
２  吊り下げピン
３  レール
４  ランナー
５  ワイヤー
ＷＬ  壁面
Ｄｐ  表示装置
【図１】
2013254104.tif 000004
【図２】
2013254104.tif 000005
【図３】
2013254104.tif 000006
【図４】
2013254104.tif 000007
【図５】
2013254104.tif 000008
【図６Ａ】
2013254104.tif 000009
【図６Ｂ】
2013254104.tif 000010
【図６Ｃ】
2013254104.tif 000011
【図７Ａ】
2013254104.tif 000012
【図７Ｂ】
2013254104.tif 000013
【図８】
2013254104.tif 000014
【図９】
2013254104.tif 000015
【図１０】
2013254104.tif 000016
【図１１】
2013254104.tif 000017